(57)【要約】【課題】回動部を確実に所定角度で保持（回動規制）しながらも、簡単にその規制状態を解除することができ、しかも操作性良く回動部を元の角度に戻すこと。【解決手段】回動規制装置１０は、ギア部材１２と、回動規制部材１３と、シャッター１５と、を備え、ギア部材１２に形成された歯部１２ａに係合爪１３ｂが嵌合することにより、ギア部材１２（チルトパネルユニット７）のチルト角が保持される。ギア部１２には第１カム１２ｂが設けられており、ギア部１２の回動に伴い係合爪１３ｂが押し退けられ、シャッター１５が開きばね１６の付勢力により係合爪１３ｂとギア部材１２との間に進出する。この状態からギア部１２を戻すと、シャッター１５が係合爪１３ｂとギア部材１２との間に進出した状態が維持されたまま、ギア部材１２がシャッター１５に対して相対的に回転し、元の位相角度に戻ることができる。【選択図】図８
2010036439.tif 000002
【特許請求の範囲】
【請求項１】
機器本体に対して回動可能な回動部の回動中心まわりに沿って複数の歯部を備えたギア部材と、
前記歯部と係合可能な係合爪を備えるとともに、前記係合爪が前記歯部と係合する係合状態と、前記係合爪が前記歯部と係合しない非係合状態と、をとり得る、前記係合状態において前記ギア部材の回動を規制する回動規制部材と、
前記ギア部材とともに回動し、前記ギア部材が第１位相から第２位相に向けて回動する際に前記第２位相の近傍で前記係合爪と係合し、前記回動規制部材を前記係合状態から前記非係合状態に切り換える第１カムと、
前記第１カムが前記回動規制部材を前記係合状態から前記非係合状態へ切り換えた際に、前記係合爪と前記ギア部材との間に進出するシャッターと、
前記ギア部材とともに回動し、前記ギア部材が前記第２位相から前記第１位相に向けて回動する際に前記第１位相の手前で前記シャッターと係合し、当該シャッターを前記係合爪と対向する位置から退避させる第２カムと、
を備えたことを特徴とする回動規制装置。
【請求項２】
請求項１に記載の回動規制装置において、前記第１カムと前記第２カムとが、ともに前記ギア部材に一体的に設けられている、
ことを特徴とする回動規制装置。
【請求項３】
被記録媒体に記録を行う記録部と、
各種情報を表示する情報表示部及び各種操作設定を行う操作設定部を備えた、請求項１または２に記載の回動規制装置により回動が規制される回動部としてのチルトパネルと、
を備えたことを特徴とする記録装置。
【発明の詳細な説明】
【技術分野】
【０００１】
本発明は、機器本体に対して回動可能に設けられる回動部の回動を規制する回動規制装置、およびこれを備えた記録装置に関する。
【背景技術】
【０００２】
電子機器には各種情報を表示する情報表示部（例えば、液晶表示部などにより構成される）及び各種操作設定を行う為の操作ボタンや電源ボタン等を備えた操作設定部をチルトパネルに備え、チルト機構（回動規制装置）を介してユーザが情報の視認や操作設定を行い易い任意の角度で保持できるようになっている。
【０００３】
チルト機構は、例えば特許文献１に示されるようにラチェットギアと係合爪とを備えたラチェット機構を備えて構成され、このラチェット機構によって一定方向へのチルトは許容し、その逆方向へのチルトは制限して、小刻みにチルト角を調整可能とするとともに任意のチルト角を保持できるようになっている。
【０００４】
また、特許文献２、３に示されるようなラック機構、即ち鋸状歯を本体側に設け、チルト部には前記鋸状歯と係合する係止端を設け、鋸状歯と係止端との係合によって所定のチルト角を段階的に保持できるように構成されたものもある。
【特許文献１】特開２００１−１１１２４５号公報
【特許文献２】特開平１１−３３９１２５号公報
【特許文献３】特開２００７−１６４３３１号公報
【発明の開示】
【発明が解決しようとする課題】
【０００５】
上記のような従来のチルト機構にあっては、チルト部に外力が加わった場合でも上記ラチェット機構によってチルト角が変化することなく確実に所定の角度で保持されるが、その反面元の姿勢に戻す場合には、係合爪をラチェットギアから外す為にボタン操作やレバー操作などを行う必要があり、必ずしも操作性が良好ではなかった。
【０００６】
そこで本発明はこの様な状況に鑑み成されたものであり、その目的は、回動部を確実に所定角度で保持（回動規制）しながらも、簡単にその規制状態を解除することができ、しかも操作性良く回動部を元の角度に戻すことのできる回動規制装置を得ることにある。
【課題を解決するための手段】
【０００７】
上記課題を解決するために、本発明の第１の態様に係る回動規制装置は、機器本体に対して回動可能な回動部の回動中心まわりに沿って複数の歯部を備えたギア部材と、前記歯部と係合可能な係合爪を備えるとともに、前記係合爪が前記歯部と係合する係合状態と、前記係合爪が前記歯部と係合しない非係合状態と、をとり得る、前記係合状態において前記ギア部材の回動を規制する回動規制部材と、前記ギア部材とともに回動し、前記ギア部材が第１位相から第２位相に向けて回動する際に前記第２位相の近傍で前記係合爪と係合し、前記回動規制部材を前記係合状態から前記非係合状態に切り換える第１カムと、前記第１カムが前記回動規制部材を前記係合状態から前記非係合状態へ切り換えた際に、前記係合爪と前記ギア部材との間に進出するシャッターと、前記ギア部材とともに回動し、前記ギア部材が前記第２位相から前記第１位相に向けて回動する際に前記第１位相の手前で前記シャッターと係合し、当該シャッターを前記係合爪と対向する位置から退避させる第２カムとを備えたことを特徴とする。
【０００８】
本態様によれば、機器本体に対して回動可能な回動部は、ギア部材（歯部）と回動規制部材（係合爪）との係合により回動が規制されるが、ギア部材を第２位相まで回動させると、第１カムにより係合爪とギア部材との間にシャッターが進出し、係合爪とギア部材との係合が阻止される。そしてこの状態からギア部材を第１位相まで回動させる（戻す）と、第２カムによりシャッターが係合爪と対向する位置から退避する。
【０００９】
即ち、ギア部材が第２位相まで回動してシャッターにより係合爪とギア部材との係合が阻止されると、その状態がギア部材を第１位相に戻すまで継続される。以上により、回動部を第２位相まで回動させることにより回動規制状態が解除され、そしてこの状態が回動部を第１位相に戻すまで継続されるので、別途操作手段を設けてこれを操作することなく、簡単に回動部を元の姿勢（第１位相）にまで戻すことが可能となる。
【００１０】
本発明の第２の態様に係る回動規制装置は、第１の態様において、前記第１カムと前記第２カムとが、ともに前記ギア部材に一体的に設けられていることを特徴とする。  
本態様によれば、第１カムと第２カムとが、ともに前記ギア部材に一体的に設けられているので、装置を構造簡単にして且つ低コストに構成することができる。
【００１１】
本発明の第３の態様に係る記録装置は、被記録媒体に記録を行う記録部と、各種情報を表示する情報表示部及び各種操作設定を行う操作設定部を備えた、第１のまたは第２の態様に係る回動規制装置により回動が規制される回動部としてのチルトパネルとを備えたことを特徴とする。本態様によれば、記録装置において、上記第１のまたは第２の態様と同様な作用効果を得ることができる。
【発明を実施するための最良の形態】
【００１２】
以下、図１〜図８を参照しながら本発明の実施形態について説明する。図１は本発明に係るインクジェット複合機１の外観斜視図、図２（Ａ）、（Ｂ）は本発明に係る回動規制装置１０の外観斜視図、図３は同分解斜視図、図４はギア部材１２、シャッター１５、回動規制部材１３、のこれらの組立状態の斜視図、図５〜図９は同側面図であって動作推移を示す図である。
【００１３】
以下、図１を参照しながら被記録媒体に記録を行う記録装置の一例としての、本発明に係るインクジェット複合機１の外部から把握可能な構成について概説する。インクジェット複合機１は、被記録媒体に記録を実行する記録実行部であるインクジェットプリンタ機構とスキャナ機構とを併せ持つインクジェット複合機であり、符号１ａはインクジェットプリンタ機構及びスキャナ機構を備えた装置本体を示し、また符号２は装置本体１ａの上部に設けられ、スキャナ機構の原稿台（図示せず）を開閉する原稿台カバー２を示している。
【００１４】
符号３は画像データなどが記憶された記憶媒体（図示せず）を挿入する記憶媒体挿入部を示していて、インクジェット複合機１は、記憶媒体挿入部３に挿入された記憶媒体に記憶された画像データを、外部コンピュータによらず、単独でインクジェット記録可能な所謂スタンドアロン型プリンタとして構成されている。
【００１５】
符号４は装置底部に設けられ、装置手前側に引き出すことにより用紙を支持するサポート面が展開される排紙トレイを示しており、記録が行われて排出される用紙が、この排紙トレイ４により支持される。尚、符号６は、記録が行われた用紙が排出される用紙排出口を示している。
【００１６】
符号７は、プレビュー画像やユーザインタフェースなどの各種情報を表示する、液晶モニタなどで構成される情報表示部と、電源投入ボタンや記録実行ボタン、画像読み取り実行ボタン、各種操作設定を行う設定ボタン、等を含む操作部と、のこれらを前面（パネル面）に備えた回動部としてのチルトパネルユニットを示している。
【００１７】
このチルトパネルユニット７はインクジェット複合機１の装置本体１ａに、後述する回動規制装置１０を介して回動（チルト）可能に設けられており、そのチルト角が、回動規制装置１０によって例えば図１に示すような傾斜角度に保持（回動規制）されるようになっていて、ユーザにとって視認性及び操作性の良好な任意の角度で保持できるようになっている。
【００１８】
続いて図２〜図９を参照しながら回動規制装置１０について詳説する。  
回動規制装置１０は、図２（Ａ）に示すように角穴１１ｇを有しており、この角穴１１ｇに、チルトパネルユニット７に設けられた図示を省略する角軸が嵌合することで、チルトパネルユニット７と回動規制装置１０とが連結される。
【００１９】
回動規制装置１０は、図２（Ａ）、（Ｂ）及び図３に示すようにケース１１Ａ、１１Ｂと、ギア部材１２と、回動規制部材１３と、押圧ばね１４と、シャッター１５と、開きばね１６と、を備えて構成されている。
【００２０】
ギア部材１２は、回動軸１２ｄ、１２ｅを有し、この回動軸１２ｄ、１２ｅがケース１１Ａ、１１Ｂにそれぞれ形成された軸受部１１ｄ、１１ｅにそれぞれ回動可能に軸支される。回動軸１２ｅには上述した角穴１１ｇが形成されており、これによりギア部材１２は、チルトパネルユニット７の回動に伴い、ケース１１Ａ、１１Ｂに対して回動するようになっている。
【００２１】
ギア部材１２には、その回動中心まわりに沿って歯部（ラチェット歯）１２ａが複数形成されており、この歯部１２ａに後述する係合爪１３ｂが嵌合することにより、ギア部材１２、即ちチルトパネルユニット７のチルト角が保持（回動規制）されるようになっている。
【００２２】
回動規制部材１３は回動軸１３ａを介してケース１１Ａ、１１Ｂに回動可能に設けられ、その下端部には上述した係合爪１３ｂが形成され、回動することにより係合爪１３ｂがギア部材１２の歯部１２ａと係合する係合状態と、係合爪１３ｂが歯部１２ａと係合しない非係合状態と、をとり得るようになっている。そして係合状態では、ギア部材１２の回動を規制し、即ちチルトパネルユニット７のチルト角を保持するようになっている。
【００２３】
尚、この回動規制部材１３は、その上部が押圧ばね１４により押された状態に設けられており（図５〜図９において矢印Ｆで示す）、これにより係合爪１３ｂが常にギア部材１２に対して進出する方向に付勢された状態となっている。
【００２４】
ギア部材１２の外周と対向する位置にはシャッター１５が設けられる。シャッター１５は、ギア部材１２の回動中心を中心とする円弧形状を成し、その側端１５ａ、１５ａが、ケース１１Ａ、１１Ｂに形成されたガイド溝１１ａ、１１ａに遊挿される。ガイド溝１１ａは、ギア部材１２の回動中心を中心とする円弧形状を成し、その円弧の長さは、シャッター１５の側端１５ａより長く形成されている。
【００２５】
これによりシャッター１５は、側端１５ａがガイド溝１１ａにガイドされることにより、ギア部材１２の回動中心を中心に所定角度を回動可能となっている。尚、ガイド溝１１ａにおいて、シャッター１５の側端１５ａが当接する端部を符号１１ｂ、１１ｃで示しており、以下ではそれぞれ「第２位相側ストッパ１１ｂ」、「第１位相側ストッパ１１ｃ」、と言う。
【００２６】
シャッター１５には円周方向に延びるように長溝１５ｂが形成されており、この長溝１５ｂに、図４に示すようにギア部材１２の外周に一体的に設けられた第１カム１２ｂ及び第２カム１２ｃが遊挿されるようになっている。尚、シャッター１５において符号１５ｃは、後に説明するシャッター部を示している。
【００２７】
開きばね１６は、ケース１１Ａの軸受部１１ｄの外周に嵌合するように設けられ、その一端１６ａがケース１１Ａに形成されたばね係止部１１ｆに係止し、他端１６ｂがシャッター１５の側端１５ａに当接するように設けられている。これによりシャッター１５は、側端１５ａが第２位相側ストッパ１１ｂに当接する回動方向に（図５〜図９において反時計回り方向に）付勢された状態となっている。
【００２８】
以上のように構成された回動規制装置１０の動作について、以下図５〜図９を参照しながら説明する。尚、図５〜図９では、ケース１１Ａ、１１Ｂ等の一部構成要素の図示を説明の便宜上省略している。
【００２９】
図５はチルトパネルユニット７が垂直姿勢にあるときの回動規制装置１０の状態を示している。この状態では、係合爪１３ｂが最も同図反時計回り方向にある歯部１２ａと係合しており、チルトパネルユニット７（ギア部材１２）が同図時計回り方向に回動しないよう規制された状態となっている。この状態からチルトパネルユニット７（ギア部材１２）を同図反時計回り方向に回動させると、係合爪１３ｂが順次歯部１２ａを乗り越え、これにより所定角度刻みでチルト角を保持できるようになっている。
【００３０】
図５の状態では、シャッター１５の先端（シャッター部１５ｃの先端）が、係合爪１３ｂの下側から当接しており、シャッター１５のそれ以上の回動（同図反時計回り方向の回動）が止められた状態となっている。尚、この状態では、シャッター１５の側端１５ａは、ケース１１Ａ、１１Ｂに形成された長溝１１ａ内において、第１位相側ストッパ１１ｃの側に位置しており、即ち第２位相側ストッパ１１ｄ側への回動しろが確保された状態となっている。
【００３１】
次に図６はチルトパネルユニット７（ギア部材１２）を同図反時計回り方向に回動させていき、最も同図時計回り方向にある歯部１２ａが係合爪１３ｂを通過し、第１カム１２ｂと係合爪１３ｂとの係合が開始した状態を示している。
【００３２】
図示するように、第１カム１２ｂが、係合爪１３ｂを押圧ばね１４の付勢力Ｆに抗して押し退ける。そして更にギア部材１２が回動すると、図７に示すようにシャッター１５のシャッター部１５ｃと回動規制部材１３との当接状態が解除されて、シャッター部１５ｃが開きばね１６の付勢力により係合爪１３ｂとギア部材１２との間に進出する。尚、シャッター１５のその進出位置は、シャッター１５の側端１５ａが、ケース１１Ａ、１１Ｂに形成された長溝１１ａの第２位相側ストッパ１１ｂに当接することにより規制される。
【００３３】
尚、以下ではシャッター１５のシャッター部１５ｃと回動規制部材１３との当接状態が解除される際のギア部材１２の位相を「第２位相」と言い、第１カム１２ｂと係合爪１３ｂとの係合開始（図６）は、この第２位相近傍（より詳しくは第２位相のやや手前）で行われる。
【００３４】
そしてこの状態からチルトパネルユニット７（ギア部材１２）を同図時計回り方向に戻すと、図８に示すようにシャッター１５は開きばね１６の付勢力によりシャッター部１５ｃが係合爪１３ｂとギア部材１２との間に進出した状態が維持されたまま、ギア部材１２がシャッター１５に対して相対的に回転する。このとき、図示するようにギア部材１２と係合爪１３ｂとの間にはシャッター部１５ｃが介在しているので、係合爪１３ｂと歯部１２ａとが係合することがない。即ち、チルトパネルユニット７（ギア部材１２）のチルト角保持がなされないで、円滑にチルトパネルユニット７を元の姿勢に戻すことができる。
【００３５】
続いてチルトパネルユニット７（ギア部材１２）を同図時計回り方向に更に戻すと、図９に示すようにギア部材１２に形成された第２カム１２ｃが、シャッター１５に形成された長溝１５ａの内側端部にあるカム係合部１５ｄに当接し、以降ギア部材１２の回動（同図時計回り方向）により、シャッター１５が開きばね１６の付勢力に抗して同図時計回り方向に回動して、やがてシャッター部１５ｃが係合爪１３ｂとギア部材１２との間から退避する。
【００３６】
尚、以下ではシャッター部１５ｃが係合爪１３ｂとギア部材１２との間から退避する際のギア部材１２の位相を「第１位相」と言う。ギア部材１２に形成された第２カム１２ｃは、シャッター１５に形成された長溝１５ａの内側端部にあるカム係合部１５ｄに対し、前記第１位相の手前で当接することになる。
【００３７】
シャッター部１５ｃが係合爪１３ｂとギア部材１２との間から退避すると、再び図５に示す状態に戻り、係合爪１３ｂが最も同図反時計回り方向にある歯部１２ａと係合し、チルトパネルユニット７（ギア部材１２）が同図時計回り方向に回動しないよう規制された状態となる。
【００３８】
以上のように、インクジェット複合機１の装置本体１ａに対し回動可能なチルトパネルユニット７は、ギア部材１２（歯部１２ａ）と回動規制部材１３（係合爪１３ｂ）との係合により回動が規制されるが、ギア部材１２を第２位相まで回動させると、第１カム１２ｂにより係合爪１３ｂが押し退けられ、これにより係合爪１３ｂとギア部材１２との間にシャッター１５が進出し、それ以降は係合爪１３ｂとギア部材１２との係合が阻止される。そしてこの状態からギア部材１２を第１位相まで回動させる（戻す）と、第２カム１２ｃによりシャッター１５が係合爪１３ｂと対向する位置から退避する。
【００３９】
つまりギア部材１２が第２位相まで回動してシャッター１５により係合爪１３ｂとギア部材１２との係合が阻止されると、その状態がギア部材１２を第１位相に戻すまで継続される。以上により、チルトパネルユニット７（ギア部材１２）を第２位相まで回動させることにより回動規制状態が解除され、そしてこの状態がチルトパネルユニット７（ギア部材１２）を第１位相まで戻すまで継続されるので、別途操作手段を設けてこれを操作することなく、簡単にチルトパネルユニット７を元の姿勢（第１位相）にまで戻すことが可能となる。
【００４０】
以上説明した実施形態は一例であり、種々の変形が可能である。例えば、本実施形態では第１カム１２ｂと第２カム１２ｃとをギア部材１２に一体的に形成し、構造の簡素化及び低コスト化を図っているが、第１カム１２ｂと第２カム１２ｃとを、それぞれギア部材１２とは独立して構成することもできる。また、本実施形態では、本発明に係る回動規制装置１０を、インクジェット複合機１のチルトパネルユニット７に適用したが、その他種々の電子機器において回動規制を行う回動部に対して適用することも可能である。
【図面の簡単な説明】
【００４１】
【図１】本発明に係るインクジェット複合機の外観斜視図。
【図２】（Ａ）、（Ｂ）は本発明に係る回動規制装置の外観斜視図。
【図３】本発明に係る回動規制装置の分解斜視図。
【図４】ギア部材、シャッター、回動規制部材、のこれらの組立状態の斜視図。
【図５】ギア部材、シャッター、回動規制部材、のこれらの組立状態の側面図。
【図６】ギア部材、シャッター、回動規制部材、のこれらの組立状態の側面図。
【図７】ギア部材、シャッター、回動規制部材、のこれらの組立状態の側面図。
【図８】ギア部材、シャッター、回動規制部材、のこれらの組立状態の側面図。
【図９】ギア部材、シャッター、回動規制部材、のこれらの組立状態の側面図。
【符号の説明】
【００４２】
１  インクジェット複合機、１ａ  装置本体、２  原稿台カバー、３  記憶媒体挿入部、４  引き出し式排紙トレイ、６  用紙排出口、７  チルトパネルユニット、８  情報表示部、９  操作設定部、
１０  回動規制装置、１１Ａ、１１Ｂ  ケース、１１ａ  ガイド溝、１１ｂ  第２位相側ストッパ、１１ｃ  第１位相側ストッパ、１１ｄ、１１ｅ  軸受部、１１ｆ  ばね係止部、１１ｇ  角穴、１２  ギア部材、１２ａ  歯部、１２ｂ  第１カム、１２ｃ  第２カム、１２ｄ、１２ｅ  回動軸、１３  回動規制部材、１３ａ  回動軸、１３ｂ  係合爪、１４  押圧ばね、１５  シャッター、１５ａ  側端、１５ｂ  長溝、１５ｃ  シャッター部、１５ｄ  カム係合部、１６  開きばね
【図１】
2010036439.tif 000003
【図２】
2010036439.tif 000004
【図３】
2010036439.tif 000005
【図４】
2010036439.tif 000006
【図５】
2010036439.tif 000007
【図６】
2010036439.tif 000008
【図７】
2010036439.tif 000009
【図８】
2010036439.tif 000010
【図９】
2010036439.tif 000011